(57)【特許請求の範囲】
【請求項１】
押圧操作によって動作する可動部材を操作面上に設けた本体部と、ディスプレイを設けた表示部とをヒンジ機構によって回動可能に連結し、前記本体部と前記表示部とを、操作面とディスプレイが対面する０度位置から操作面とディスプレイが同一方向を向いて互いに平行する１８０度位置を経て、操作面とディスプレイの背面同士が対面する３６０度位置まで回動可能とした電子機器であって、
前記表示部の前記本体部に対する前記１８０度位置から前記３６０度位置までの回動動作と連動して動作するリンク機構と、
該リンク機構の動作と連動して動作し、前記可動部材の動作を規制するストッパ機構とを備え、
前記可動部材は、タッチ操作と押下操作とを受け付けるクリック式のタッチパッドであることを特徴とする電子機器。
【請求項２】
請求項１記載の電子機器において、
前記ストッパ機構は、前記リンク機構の動作と連動して移動することで前記可動部材に係合し、その動作を規制するストッパ部材を有することを特徴とする電子機器。
【請求項３】
押圧操作によって動作する可動部材を操作面上に設けた本体部と、ディスプレイを設けた表示部とをヒンジ機構によって回動可能に連結し、前記本体部と前記表示部とを、操作面とディスプレイが対面する０度位置から操作面とディスプレイが同一方向を向いて互いに平行する１８０度位置を経て、操作面とディスプレイの背面同士が対面する３６０度位置まで回動可能とした電子機器であって、
前記表示部の前記本体部に対する前記１８０度位置から前記３６０度位置までの回動動作と連動して動作するリンク機構と、
該リンク機構の動作と連動して動作し、前記可動部材の動作を規制するストッパ機構とを備え、
前記ストッパ機構は、前記リンク機構の動作と連動して移動することで前記可動部材に係合し、その動作を規制するストッパ部材を有し、
前記リンク機構は、前記表示部の前記本体部に対する前記１８０度位置から前記３６０度位置までの回動動作と連動し、該本体部の本体筐体に対して前後方向に移動する第１スライド部材を有し、
前記ストッパ機構は、前記第１スライド部材の前後方向への移動と連動して前後方向に移動し、前記ストッパ部材を移動させる第２スライド部材を有することを特徴とする電子機器。
【請求項４】
請求項３記載の電子機器において、
前記ストッパ部材は、前記本体筐体に対して回動可能に軸支されると共に、前記第２スライド部材と回転軸によって連結されており、前記前後方向に移動する第２スライド部材によって従動的に回動されることを特徴とする電子機器。
【請求項５】
請求項３又は４記載の電子機器において、
前記第１スライド部材と前記第２スライド部材との間は、前記第１スライド部材の前後方向への移動力を受けて回転することで、前記第２スライド部材を前後方向へと移動させるワイヤ部材で連結されていることを特徴とする電子機器。
【請求項６】
請求項１〜５のいずれか１項に記載の電子機器において、
前記ヒンジ機構は、第１軸が回転終点位置まで回転した後、第２軸が回転を開始する２軸構造であって、前記０度位置から前記１８０度位置までは前記第１軸が回転し、前記１８０度位置から前記３６０度位置までは前記第２軸が回転するものであり、
前記リンク機構は、前記第２軸の回転と連動して動作することを特徴とする電子機器。
【発明の詳細な説明】
【技術分野】
【０００１】
本発明は、本体部と表示部とをヒンジ機構によって回動可能に連結した電子機器に関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。タブレット型ＰＣは、持ち運びが容易で入力作業もタッチパネルによって行うことができるため操作が容易である。
【０００３】
しかしながら、タブレット型ＰＣは、物理的なキーボードを持たないため、例えば、長文の入力作業等に支障を生じる場合がある。そこで、ディスプレイを有する表示部をキーボードを有する本体部に対して、１８０度を超えて３６０度まで回動可能としたコンバーチブルタブレット型パーソナルコンピュータ（コンバーチブル型ＰＣ）が提案されている。コンバーチブル型ＰＣでは、通常のノートブック型パーソナルコンピュータ（ノート型ＰＣ）とタブレット型ＰＣの２通りの使用方法が可能であるため、使用者の利便性が非常に高いものとなっており、例えば、特許文献１にはこの構成に使用できる２軸構造のヒンジ機構が開示されている。
【先行技術文献】
【特許文献】
【０００４】
【特許文献１】特開２０１３−１５５８７４号公報
【発明の概要】
【発明が解決しようとする課題】
【０００５】
上記のようなコンバーチブル型ＰＣでは、表示部を３６０度位置まで回動させ、タブレット型ＰＣとしての使用形態に変形させた場合、本体部のキーボードを設けた上面（操作面）がこの使用形態では下面（裏面）となる。従って、タブレット型ＰＣとして使用する際には、ノート型ＰＣの使用形態では操作面にあったキーボード、クリックパッド及び電源ボタン等の各種可動部材が裏面に露出することになる。このため、タブレット型ＰＣの使用形態において、この使用形態では不要となる裏面の可動部材に指や机が当たると可動部材ががたつき、人手による筐体の把持やタッチパネル操作の安定性が損なわれることになる。さらに、意図せぬ可動部材の押圧操作を生じてしまい、思わぬ誤作動を生じる可能性もある。
【０００６】
本発明は、上記従来技術の課題を考慮してなされたものであり、表示部を本体部に対して回動させた場合に不要となる操作面の可動部材の動作を規制することにより、高い操作安定性を確保し、誤作動を防止することができる電子機器を提供することを目的とする。
【課題を解決するための手段】
【０００７】
本発明に係る電子機器は、押圧操作によって動作する可動部材を操作面上に設けた本体部と、ディスプレイを設けた表示部とをヒンジ機構によって回動可能に連結し、前記本体部と前記表示部とを、操作面とディスプレイが対面する０度位置から操作面とディスプレイが同一方向を向いて互いに平行する１８０度位置を経て、操作面とディスプレイの背面同士が対面する３６０度位置まで回動可能とした電子機器であって、前記表示部の前記本体部に対する前記１８０度位置から前記３６０度位置までの回動動作と連動して動作するリンク機構と、該リンク機構の動作と連動して動作し、前記可動部材の動作を規制するストッパ機構とを備えることを特徴とする。
【０００８】
このような構成によれば、表示部を３６０度位置まで回動させて電子機器をタブレット型ＰＣとして使用する場合に、その裏面にあるクリックパッド等の可動部材ががたつき、人手による当該電子機器の把持やディスプレイへのタッチパネル操作の安定性が損なわれることを防止でき、高い操作安定性を確保することができる。また、タブレット型ＰＣとして使用する場合に裏面に露出するクリックパッド等の可動部材の押圧操作を規制できるため、該可動部材が意図せずに操作され、誤作動を生じることを回避できる。一方、表示部を例えば９０度位置としたノート型ＰＣとして使用する場合には、ストッパ機構による可動部材の動作の規制が解除されるため、この場合の操作に支承が出ることはない。
【０００９】
前記可動部材は、タッチ操作と押下操作とを受け付けるクリック式のタッチパッドであってもよい。
【００１０】
前記可動部材は、所定の機能が割り当てられた機能ボタンであってもよい。この機能ボタンとしては、例えば、電源ボタン、ボリュームボタン、スピーカーミュートボタン、マイクミュートボタン等を例示できる。
【００１１】
前記ストッパ機構は、前記リンク機構の動作と連動して移動することで前記可動部材に係合し、その動作を規制するストッパ部材を有する構成としてもよい。そうすると、表示部を回動させるリンク機構の動作に連動させ、可動部材の動作をストッパ部材によって確実に規制することができる。
【００１２】
前記リンク機構は、前記表示部の前記本体部に対する前記１８０度位置から前記３６０度位置までの回動動作と連動し、該本体部の本体筐体に対して前後方向に移動する第１スライド部材を有し、前記ストッパ機構は、前記第１スライド部材の前後方向への移動と連動して前後方向に移動し、前記ストッパ部材を移動させる第２スライド部材を有する構成であってもよい。そうすると、リンク機構から離間した位置にある下動部材に対しても、第１スライド部材及び第２スライド部材を介してストッパ機構による規制を確実に行うことができる。
【００１３】
前記ストッパ部材は、前記本体筐体に対して回動可能に軸支されると共に、前記第２スライド部材と回転軸によって連結されており、前記前後方向に移動する第２スライド部材によって従動的に回動されるものであってもよい。そうすると、前後方向への第２スライド部材の移動力を回動方向に変更することができ、各位置にある可動部材に対してストッパ機構による規制を確実に行うことができる。
【００１４】
前記第１スライド部材と前記第２スライド部材との間は、前記第１スライド部材の前後方向への移動力を受けて回転することで、前記第２スライド部材を前後方向へと移動させるワイヤ部材で連結されていると、省スペースで第１スライド部材と第２スライド部材との間を連動させることができる。
【００１５】
前記ヒンジ機構は、第１軸が回転終点位置まで回転した後、第２軸が回転を開始する２軸構造であって、前記０度位置から前記１８０度位置までは前記第１軸が回転し、前記１８０度位置から前記３６０度位置までは前記第２軸が回転するものであり、前記リンク機構は、前記第２軸の回転と連動して動作するものであると、簡素な構成でありながらも、表示部を本体部に対して０度位置から３６０度位置まで回動可能に連結することができ、しかも、１８０度位置を境として、第１軸と第２軸の回転が切り替わるため、このヒンジ機構を利用してストッパ機構を円滑に動作させることが可能となる。
【発明の効果】
【００１６】
本発明によれば、表示部を３６０度位置まで回動させて電子機器をタブレット型ＰＣとして使用する場合に、その裏面にあるクリックパッド等の可動部材の動作を規制することができ、高い操作安定性を確保することができる。さらに、タブレット型ＰＣとして使用する場合に裏面に露出するクリックパッド等の可動部材の押圧操作を規制できるため、該可動部材が意図せずに操作され、誤作動を生じることを回避できる。
【図面の簡単な説明】
【００１７】
【図１】図１は、本発明の一実施形態に係る電子機器の斜視図である。
【図２】図２は、図１に示す電子機器のノート型ＰＣでの使用形態の一例を示す側面図である。
【図３】図３は、図２に示す状態から表示部をさらに開き方向に回動させて３６０度位置としたタブレット型ＰＣでの使用形態の一例を示す側面図である。
【図４】図４は、本実施形態に係る電子機器に設けられるヒンジ機構の構成を模式的に示す斜視図である。
【図５】図５は、図４に示すヒンジ機構を用いた表示部の本体部に対する回動動作を模式的に示す動作説明図であり、図５（Ａ）は、０度位置を示す図であり、図５（Ｂ）は、４５度位置を示す図であり、図５（Ｃ）は、１３５度位置を示す図であり、図５（Ｄ）は、１８０度位置を示す図であり、図５（Ｅ）は、２２５度位置を示す図であり、図５（Ｆ）は、３１５度位置を示す図であり、図５（Ｇ）は、３６０度位置を示す図である。
【図６】図６は、本体部の内部構造を模式的に示す平面図である。
【図７】図７は、ベゼルの上下動作を説明するための側面図であり、図７（Ａ）は、０度位置から１８０度位置までの間でのベゼル及びリンク機構の状態を示す図であり、図７（Ｂ）は、３６０度位置でのベゼル及びリンク機構の状態を示す図である。
【図８】図８は、０度位置から１８０度位置までの間でのベゼル及びキーの状態を示す斜視図である。
【図９】図９は、３６０度位置での間でのベゼル及びキーの状態を示す斜視図である。
【図１０】図１０は、駆動ワイヤの動作を説明するために該駆動ワイヤの一端側を模式的に示した平面図であり、図１０（Ａ）は、０度位置から１８０度位置までの間での駆動ワイヤの状態を示す図であり、図１０（Ｂ）は、３６０度位置での駆動ワイヤの状態を示す図である。
【図１１】図１１は、ベゼルと下カバーとの間に介在するねじりコイルばねを説明するための断面図である。
【図１２】図１２は、ベゼルとキーと下カバーの関係を説明するための断面図であり、図１２（Ａ）は、０度位置から１８０度位置までの間での状態を示す図であり、図１２（Ｂ）は、３６０度位置での状態を示す図である。
【図１３】図１３は、スライドフレームがスライドした際の伝達ワイヤの状態を説明するための側面図であり、図１３（Ａ）は、０度位置から１８０度位置までの状態を示す図であり、図１３（Ｂ）は、３６０度位置での状態を示す図である。
【図１４】図１４は、ストッパ機構の動作を説明するための側面断面図であり、図１４（Ａ）は、０度位置から１８０度位置までの間でのストッパ機構の状態を示す図であり、図１４（Ｂ）は、３６０度位置でのストッパ機構の状態を示す図である。
【図１５】図１５は、ストッパ機構の動作を説明するための平面説明図であり、図１５（Ａ）は、０度位置から１８０度位置までの間でのストッパ機構の状態を示す図であり、図１５（Ｂ）は、３６０度位置でのストッパ機構の状態を示す図である。
【図１６】図１６は、ストッパ機構の動作を説明するための正面断面図であり、図１６（Ａ）は、０度位置から１８０度位置までの間でのストッパ機構の状態を示す図であり、図１６（Ｂ）は、３６０度位置でのストッパ機構の状態を示す図である。
【図１７】図１７は、伝達ワイヤの動作を模式的に示した平面図であり、図１７（Ａ）は、０度位置から１８０度位置までの間での伝達ワイヤの状態を示す図であり、図１７（Ｂ）は、３６０度位置での伝達ワイヤの状態を示す図である。
【図１８】図１８は、機能ボタンの動作を規制する際のストッパ機構の動作を説明するための平面説明図であり、図１８（Ａ）は、０度位置から１８０度位置までの間でのストッパ機構の状態を示す図であり、図１８（Ｂ）は、３６０度位置でのストッパ機構の状態を示す図である。
【発明を実施するための形態】
【００１８】
以下、本発明に係る電子機器について好適な実施の形態を挙げ、添付の図面を参照しながら詳細に説明する。
【００１９】
１．電子機器の全体構成の説明
図１は、本発明の一実施形態に係る電子機器１０の斜視図であり、ヒンジ機構１２Ｌ，１２Ｒによって表示部１４を本体部１６から開き、両者を略直交させた状態を示す。図２は、図１に示す電子機器１０のノート型ＰＣでの使用形態の一例を示す側面図であり、図３は、図２に示す状態から表示部１４を開き方向に回動させて３６０度位置としたタブレット型ＰＣでの使用形態の一例を示す側面図である。
【００２０】
本実施形態に係る電子機器１０は、表示部１４を本体部１６に対して９０度前後の角度位置に回動させた状態ではノート型ＰＣとして好適に使用でき（図１及び図２参照）、表示部１４を本体部１６に対して３６０度位置まで回動させた状態ではタブレット型ＰＣとして好適に使用できる（図３参照）、いわゆるコンバーチブルタブレット型パーソナルコンピュータ（コンバーチブル型ＰＣ）である。図３中に２点鎖線で示すように、３６０度位置から表示部１４を少し起こせば、本体部１６をベースとしたスタンド型のタブレット型ＰＣとしても使用できる。本発明は、このようなコンバーチブル型ＰＣ以外、例えば、携帯電話、スマートフォン、又は電子手帳等、表示部を本体部に対して３６０度位置まで回動可能な電子機器であれば好適に適用できる。
【００２１】
以下、図１及び図２に示すノート型ＰＣでの使用形態を基準とし、表示部１４の前面１４ａに設けられたディスプレイ１８を視認しながら本体部１６の操作面となる上面１６ａに設けられたポインティングスティック１７、クリックパッド１９及びキーボード２０を操作する使用者から見た方向で、手前側を前側（前方）、奥側を後側（後方）と呼び、本体部１６の厚み方向を上下方向、幅方向を左右方向と呼んで説明する。
【００２２】
また、説明の便宜上、ヒンジ機構１２Ｌ，１２Ｒによる本体部１６と表示部１４の角度位置について、表示部１４を本体部１６に対して完全に閉じた状態とし、ディスプレイ１８と上面１６ａが対面した姿勢を０度位置（図示せず）と呼ぶ。そして、この０度位置を基準として、表示部１４を開き方向に回動させる方向で角度を刻みながら説明するものとし、例えば、ディスプレイ１８と上面１６ａが同一方向（上方）を向いて互いに平行した姿勢を１８０度位置（図２中に２点鎖線で示す表示部１４参照）と呼び、ディスプレイ１８と上面１６ａの背面同士、つまり表示部１４の背面１４ｂと本体部１６の下面１６ｂとが対面した姿勢を３６０度位置（図３参照）と呼ぶものとする。なお、０度位置、１８０度位置、及び３６０度位置については、本体部１６、表示部１４、又はヒンジ機構１２Ｌ，１２Ｒの構造により、角度数字の示す正確な角度位置から多少ずれた角度位置となることも当然生じるものであり、これらのずれた角度位置も含めて、本実施形態では０度位置等と呼んで説明している。
【００２３】
図１〜図３に示すように、電子機器１０は、ディスプレイ１８を有する表示部１４と、クリックパッド１９やキーボード２０等の入力手段（可動部材）を有する本体部１６とを備える。表示部１４と本体部１６とは、左右一対のヒンジ機構１２Ｌ，１２Ｒ（以下、まとめて「ヒンジ機構１２」とも呼ぶ）によって０度位置から３６０度位置まで回動可能に連結されている。
【００２４】
表示部１４は、ヒンジ機構１２を通過した図示しないケーブルにより、本体部１６と電気的に接続されている。ディスプレイ１８は、例えば、タッチパネル式の液晶表示装置によって構成される。
【００２５】
本体部１６は、扁平な箱状に形成された本体筐体２２の後端縁部にヒンジ機構１２が設けられる。本体筐体２２の内部には、図示しない基板、演算装置、及びメモリ等の各種電子部品が収納されている。
【００２６】
本体部１６の上面１６ａに設けられたキーボード２０は、複数のキー２０ａと、各キー２０ａの周囲に設けられたベゼル２０ｂとによって構成されている。ベゼル２０ｂは、一枚の板状部材に各キー２０ａを挿通させる複数の孔部２１（図８参照）が形成された枠体である。ベゼル２０ｂは、本体部１６の上面１６ａ、具体的には本体筐体２２の上カバー２２ａに形成されたキーボード２０の配設用の開口内で上下動可能であり（図８及び図９参照）、この上下動作（進退動作）は、ヒンジ機構１２による表示部１４の回動動作と連動する。キーボード２０の略中央には、ポインティングスティック１７が配設されている。ポインティングスティック１７はディスプレイ１８に表示されるカーソル（図示せず）を操作するためのものであり、クリックパッド１９に割り付けられたボタン機能と連係可能な入力手段である。
【００２７】
本体部１６の上面１６ａの前方中央に設けられたクリックパッド１９は、タッチ操作と押下操作とを受け付けるクリック式のタッチパッドである。クリックパッド１９は、平板状のセンサ板（操作板）１９ａを指でなぞるタッチ操作をすることでカーソルを操作するポインティング機能と、センサ板１９ａ自体を押下操作することでクリック等を行うボタン機能とを有する。クリックパッド１９の構造は公知のものであり、センサ板１９ａの下に配設されたラバードーム１９ｂ（図１６参照）を押し潰すように押下操作することにより、図示しないスイッチを接離することができる。本実施形態のクリックパッド１９は、センサ板１９ａの上面（タッチ面）の領域分けにより５種類のボタン機能が割り付けられた構造（５ボタンクリックパッド）となっている。クリックパッド１９の押下操作（ボタン機能）は、本体筐体２２内に設けられたストッパ機構２４により規制可能であり（図６及び図１６参照）、このストッパ機構２４の動作は、ヒンジ機構１２による表示部１４の回動動作と連動する。
【００２８】
２．ヒンジ機構の説明
２．１  ヒンジ機構の構成の説明
次に、ヒンジ機構１２の構成例について説明する。
【００２９】
図４は、本実施形態に係る電子機器１０に設けられるヒンジ機構１２の構成を模式的に示す斜視図であり、表示部１４が本体部１６に対して０度位置から１８０度位置にある場合での左側のヒンジ機構１２Ｌの状態を示している。以下では、ヒンジ機構１２として、図４及び図５に示すように左側のヒンジ機構１２Ｌを例示して説明するが、右側のヒンジ機構１２Ｒは、左側のヒンジ機構１２Ｌと左右対称構造であって、図４中に２点鎖線で示すリンクピン２６の取付位置が左右反対側となる以外は基本的には同一構造のため、その詳細な説明は省略する。
【００３０】
図４に示すように、ヒンジ機構１２Ｌ（１２Ｒ）は、左右方向に延在する第１シャフト（第１軸）２８と、第１シャフト２８と平行して設置された第２シャフト（第２軸）３０と、第１シャフト２８及び第２シャフト３０をそれぞれ回転可能に軸支した左右一対のガイドプレート３２，３２とを備える。一対のガイドプレート３２，３２間であって、第１シャフト２８と第２シャフト３０とに挟まれる位置には、第１シャフト２８と第２シャフト３０の間を往復移動可能且つ回転可能に支持されたフロートピン３４が設けられている。
【００３１】
第１シャフト２８は、その両端が表示部１４の筐体に設けられた図示しない嵌合孔に嵌入固定されることで該表示部１４に対して回転不能な状態で連結される。第２シャフト３０は、その両端が本体部１６の本体筐体２２に設けられた図示しない嵌合孔に嵌入固定されることで該本体部１６に対して回転不能な状態で連結される。
【００３２】
各ガイドプレート３２は、両端が円弧状に形成された帯状のプレート部材であり、両端の円弧状部分にそれぞれ軸孔３２ａ，３２ｂが貫通形成されている。軸孔３２ａに第１シャフト２８が回転可能に挿通され、軸孔３２ｂに第２シャフト３０が回転可能に挿通されている。これにより、表示部１４は、第１シャフト２８と共にガイドプレート３２に対して回転可能に支持され、本体部１６は、第２シャフト３０と共にガイドプレート３２に対して回転可能に支持される。
【００３３】
各ガイドプレート３２の軸孔３２ａ，３２ｂの間となる中央部分には、軸孔３２ａ，３２ｂの並び方向（図４中で上下方向）に延在する長孔３２ｃが形成されている。長孔３２ｃには、フロートピン３４両端の小径部３４ａが挿通される。
【００３４】
フロートピン３４は、両端の小径部３４ａがそれぞれ左右のガイドプレート３２の長孔３２ｃに対して内面側から挿通されると共に、中央の大径部３４ｂによって長孔３２ｃからの抜け止めがなされる。これにより、フロートピン３４は、左右のガイドプレート３２，３２間であって第１シャフト２８と第２シャフト３０の間となる位置で、長孔３２ｃの長手方向に沿って移動可能、且つ長孔３２ｃを軸受として回転可能な状態で支持される。
【００３５】
第１シャフト２８及び第２シャフト３０の左右のガイドプレート３２，３２間に位置する中央部分の外周面には、フロートピン３４の大径部３４ｂの一部を嵌合可能な円弧形状の溝部２８ａ及び溝部３０ａが形成されている。図４に示すように、溝部２８ａ，３０ａは、表示部１４が本体部１６に対して、０度位置から１８０度位置にある状態で上方を向く位置に形成されている。従って、図４に示す状態では、重力によって長孔３２ｃ内の下部に位置しているフロートピン３４は、その大径部３４ｂが第２シャフト３０の溝部３０ａに嵌合している（図５（Ａ）〜図５（Ｄ）参照）。
【００３６】
図４中に２点鎖線で示すように、ヒンジ機構１２Ｌ（１２Ｒ）は、箱状のヒンジ筐体３６を有する。ヒンジ筐体３６は、その内面に各ガイドプレート３２の周端面が固定されることで該ガイドプレート３２を含むヒンジ機構１２Ｌ（１２Ｒ）の全ての構成要素をその内部に収容する。第１シャフト２８両端及び第２シャフト３０両端のみがヒンジ筐体３６の左右両側面から外部に突出し、それぞれ表示部１４及び本体部１６に連結される。
【００３７】
ヒンジ筐体３６の一方の側面であって、第２シャフト３０の前側となる位置には、リンクピン２６が突設されている（図４中に２点鎖線で示すリンクピン２６参照）。リンクピン２６は、ヒンジ機構１２とベゼル２０ｂ及びストッパ機構２４とを連動させるための部品である。リンクピン２６は、左右のヒンジ機構１２Ｌ，１２Ｒの内側面に設けられ、後述するリンク機構４０に連結されている（図６も参照）。
【００３８】
ヒンジ筐体３６の他方の側面であって、長孔３２ｃの後側となる位置には、ストッパ片３７が突設されている（図４中に２点鎖線で示すストッパ片３７参照）。ストッパ片３７は、１８０度位置となった表示部１４と当接し、それ以上の回動を規制するための部材である（図５（Ｄ）も参照）。
【００３９】
２．２  ヒンジ機構による回動動作の説明
次に、ヒンジ機構１２による表示部１４と本体部１６の回動動作について説明する。
【００４０】
図５は、図４に示すヒンジ機構１２を用いた表示部１４の本体部１６に対する回動動作を模式的に示す動作説明図であり、左側のヒンジ機構１２Ｌの動作を代表的に示している。図５（Ａ）は、０度位置を示す図であり、図５（Ｂ）は、４５度位置を示す図であり、図５（Ｃ）は、１３５度位置を示す図であり、図５（Ｄ）は、１８０度位置を示す図であり、図５（Ｅ）は、２２５度位置を示す図であり、図５（Ｆ）は、３１５度位置を示す図であり、図５（Ｇ）は、３６０度位置を示す図である。
【００４１】
表示部１４を本体部１６から開く方向に回動させる場合、先ず、図５（Ａ）〜図５（Ｄ）に示す０度位置から１８０度位置までの間は、フロートピン３４が溝部３０ａに嵌合している。このため第２シャフト３０の回転が規制され、本体部１６及び第２シャフト３０とヒンジ筐体３６とが一体化している。従って、これら本体部１６、第２シャフト３０、及びヒンジ筐体３６に対して、表示部１４が第１シャフト２８と共に該第１シャフト２８を回動軸として回動し、例えば、図２に示すようなノート型ＰＣとしての使用が可能となる。
【００４２】
図５（Ｄ）に示す１８０度位置（図２中に２点鎖線で示す表示部１４も参照）では、表示部１４の背面１４ｂがヒンジ筐体３６に設けられたストッパ片３７に当接し、第１シャフト２８を回動軸とした回動が規制される。この状態では、第１シャフト２８の溝部２８ａが下方を向き、フロートピン３４を受け入れ可能な位置となっている。
【００４３】
続いて、表示部１４を１８０度位置よりもさらに開き方向に回動させようとすると、今度は、図５（Ｅ）に示すように、ストッパ片３７を介して表示部１４及び第１シャフト２８とヒンジ筐体３６とが一体となり、第２シャフト３０を回動軸として回動し始める。この回動に伴い、フロートピン３４が第２シャフト３０の溝部３０ａから離脱して第１シャフト２８の溝部２８ａに嵌入し、本体部１６及び第２シャフト３０とヒンジ筐体３６との一体化が解除される。これにより、図５（Ｅ）〜図５（Ｇ）に示すように、１８０度位置より開き方向では、表示部１４、第１シャフト２８、及びヒンジ筐体３６とが一体となり、本体部１６に対して第２シャフト３０を回動軸として回動する。
【００４４】
最終的には、図５（Ｇ）に示すように、表示部１４が本体部１６の背面側に回り込み、ストッパ片３７が本体部１６の背面に当接すると回動が規制されて３６０度位置となり、例えば、図３に示すようなタブレット型ＰＣとしての使用が可能となる。
【００４５】
３．ヒンジ機構による回動動作と連動する可動構造の説明
３．１  リンク機構の説明
次に、ヒンジ機構１２による表示部１４の回動動作とベゼル２０ｂ及びストッパ機構２４とを連動させるリンク機構４０について説明する。
【００４６】
図６は、本体部１６の内部構造を模式的に示す平面図であり、本体筐体２２の上カバー２２ａを取り外し、ヒンジ機構１２と連動してベゼル２０ｂ及びストッパ機構２４を動作させるリンク機構４０を模式的に示している。図６では、左側のヒンジ機構１２Ｌ及びこれと連動するリンク機構４０は、０度位置〜１８０度位置での状態を示し、右側のヒンジ機構１２Ｒ及びこれと連動するリンク機構４０は、３６０度位置での状態を示している。
【００４７】
図６に示すように、リンク機構４０は、本体部１６の本体筐体２２内部に収容配置されており、ヒンジ機構１２と連結されるリンク部材４２と、リンク部材４２と緩衝部４４を介して連結されるスライド部材４６とを備える。
【００４８】
リンク部材４２は、ヒンジ機構１２のリンクピン２６に一端が係合されるＬ字状の係合アーム４２ａと、係合アーム４２ａの他端から前方に向けて延在したレール４２ｂとを備える。リンク部材４２は、下カバー２２ｂの上面（内面）上で前後方向に移動可能に設けられている。係合アーム４２ａの先端には、上下方向に延在し、下方が開口した係合凹部３９が設けられている（図７及び図１３参照）。リンクピン２６に対して係合凹部３９を上から係合させることにより、リンクピン２６と係合アーム４２ａ（リンク機構４０）とが連結されると共に、リンクピン２６は、係合凹部３９内で上下方向に移動可能且つ回転可能な状態で保持される。
【００４９】
スライド部材４６は、リンク部材４２のレール４２ｂに摺動可能に係合される前後一対のスライダ４６ａ，４６ａと、ブリッジ４６ｂによってスライダ４６ａと連結されるスライドフレーム（第１スライド部材）４６ｃとを備える。スライド部材４６は、下カバー２２ｂの上面上で前後方向に移動可能に設けられている。スライダ４６ａの前端側と、レール４２ｂの後端側との間には、緩衝部４４を構成するコイルばね４４ａが架け渡されている。リンク部材４２とスライド部材４６とは、コイルばね４４ａによって連結されている。通常時、リンク部材４２がヒンジ機構１２の回動動作に伴って移動すると、コイルばね４４ａが実質的に硬質な棒体として機能し、スライド部材４６もリンク部材４２と共に移動する。一方、スライド部材４６が外力を受けて移動不能な状態でヒンジ機構１２が回動された場合には、コイルばね４４ａが伸張し、リンク部材４２のみが移動する。緩衝部４４は、コイルばね４４ａを用いる構成以外でもよい。
【００５０】
スライドフレーム４６ｃの内側面には、スリット４９が複数形成されている。前端側を除く各スリット４９には、ベゼル２０ｂの下面に軸支されて左右方向に延在した駆動ワイヤ（ワイヤ部材）４８の端部が係合される。前端側のスリット４９には、伝達ワイヤ（ワイヤ部材）５２の一端が係合される。伝達ワイヤ５２の他端は、ストッパ機構２４を構成するスライドバー５０のスリット５０ａと係合される。スライドフレーム４６ｃは、その前後方向の長孔４６ｄに下カバー２２ｂから立脚したガイドピン５１が挿入されることで前後方向にガイドされている（図８及び図９参照）。
【００５１】
３．２  ベゼルの可動構造の説明
次に、ベゼル２０ｂの可動構造について説明する。
【００５２】
３．２（１）  ベゼルの構成の説明
先ず、ベゼル２０ｂの構成について説明する。図７は、ベゼル２０ｂの上下動作を説明するための側面図であり、図７（Ａ）は、０度位置から１８０度位置までの間でのベゼル２０ｂ及びリンク機構４０の状態を示す図であり、図７（Ｂ）は、３６０度位置でのベゼル２０ｂ及びリンク機構４０の状態を示す図である。図８は、０度位置から１８０度位置までの間でのベゼル２０ｂ及びキー２０ａの状態を示す斜視図であり、図９は、３６０度位置での間でのベゼル２０ｂ及びキー２０ａの状態を示す斜視図である。
【００５３】
ベゼル２０ｂは、キーボード２０のキー２０ａの周囲に配置された枠状のプレート部材であり、本体部１６の上面１６ａ側で上下動可能となっている。ベゼル２０ｂは、その下面（内面）が駆動ワイヤ４８によって押圧されることで上下動する。ベゼル２０ｂは、その上面がキー２０ａの頂面よりも下にある下降位置（図７（Ａ）及び図８参照）から、その上面がキー２０ａの頂面と面一又は僅かに上にある上昇位置（図７（Ｂ）、及び図９参照）まで移動することができる。
【００５４】
図８に示すように、ベゼル２０ｂは、その横枠２０ｃや縦枠２０ｄの内部に、下カバー２２ｂから立脚した複数のガイドピン５６が適宜介在している。ガイドピン５６により、ベゼル２０ｂが左右方向及び前後方向にガイドされ、その上下動作ががたつきのない円滑なものとなっている。
【００５５】
３．２（２）  駆動ワイヤの構成の説明
次に、ベゼル２０ｂを上下動作させる駆動ワイヤ４８の構成及び動作について説明する。図１０は、駆動ワイヤ４８の動作を説明するために該駆動ワイヤ４８の一端側を模式的に示した平面図であり、図１０（Ａ）は、０度位置から１８０度位置までの間での駆動ワイヤ４８の状態を示す図であり、図１０（Ｂ）は、３６０度位置での駆動ワイヤ４８の状態を示す図である。
【００５６】
図６に示すように、駆動ワイヤ４８は、左右のスライドフレーム４６ｃ，４６ｃのスリット４９，４９間に架け渡されている。駆動ワイヤ４８は、ＳＵＳ材等で形成された硬質の線材であり、例えば、直径１ｍｍ程度で十分な剛性を有する。本実施形態では７本の駆動ワイヤ４８を前後方向に並列している。各駆動ワイヤ４８は、その端部が左右のスリット４９，４９にそれぞれ上下動可能に且つ回転可能に係合され、各キー２０ａ間に形成された前後方向の間隙を埋めるように左右に延在したベゼル２０ｂの横枠２０ｃの下面に対し、回転可能な状態で連結されている（図７〜図１０参照）。
【００５７】
駆動ワイヤ４８の両端には、図１０（Ａ）に示す０度位置から１８０度位置までの姿勢で見た場合に、左右方向に延びてスリット４９に係合される係合部４８ａと、係合部４８ａの基端から屈曲して上方へと延在した第１アーム部４８ｂと、第１アーム部４８ｂの基端から屈曲して左右方向で内方へと延在した第２アーム部４８ｃと、第２アーム部４８ｃの基端から屈曲して後方へと延在した第３アーム部４８ｄとが形成されている。左右両端の第３アーム部４８ｄから左右方向で内方へと屈曲して左右方向に延在したベース部４８ｅがベゼル２０ｂの横枠２０ｃの下面に軸支される。ベース部４８ｅには、前方に向けてＶ字状に屈曲された押圧部４８ｆが形成されている。押圧部４８ｆは、ベース部４８ｅの左右方向に渡って複数形成され、各キー２０ａ間に形成された左右方向の隙間を埋めるように前後に延在したベゼル２０ｂの縦枠２０ｄの下面位置に対応するように配置されている（図８及び図９参照）。駆動ワイヤ４８の両端の構成は、左右対称形状となっている。
【００５８】
図７及び図１０に示すように、駆動ワイヤ４８のベース部４８ｅは、壁部材６０に形成された上下方向の長孔６０ａに挿通され、該長孔６０ａ内で回転可能且つ上下動可能に保持されている。壁部材６０は、キーボード２０の外周を囲うように、本体筐体２２の下カバー２２ｂから起立したものである。なお、図８及び図９では、図面の見易さを確保するため、壁部材６０を省略している。
【００５９】
３．２（３）  ベゼルの上下動作の説明
次に、このような駆動ワイヤ４８を用いたベゼル２０ｂの上下動作について説明する。
【００６０】
ヒンジ機構１２による表示部１４の回動動作時、ヒンジ筐体３６の側面から突出したリンクピン２６は、図５（Ａ）〜図５（Ｄ）に示す０度位置から１８０度位置までは、その位置が変化しないヒンジ筐体３６と共に同一位置に保持されており、第２シャフト３０の前方側となる位置に留まっている。そして、表示部１４が１８０度位置を超えて開き方向に回動されると、今度は第２シャフト３０を軸心として回動するヒンジ筐体３６に伴い、リンクピン２６も次第に後方へと移動し（図５（Ｅ）及び図５（Ｆ）参照）、３６０度位置では、第２シャフト３０の後方側となる位置まで移動することになる（図５（Ｇ）参照）。
【００６１】
このように、ヒンジ機構１２では、表示部１４の回動角度が１８０度位置までの間は、リンクピン２６の前後方向位置は変化しないが、１８０度位置を超えた後は、その回動角度の増加に伴って後方側へと次第に移動することになる。
【００６２】
従って、０度位置から１８０度位置までの間は、図７（Ａ）に示すように、リンクピン２６の前後方向位置は変化せずに位置Ｐ１に留まり、リンク機構４０を構成するスライドフレーム４６ｃの位置も初期位置に留まっている。この際、駆動ワイヤ４８は、図７（Ａ）及び図１０（Ａ）に示すように、ベース部４８ｅが下カバー２２ｂ上に着地し、押圧部４８ｆも横倒し姿勢で下カバー２２ｂ上に着地している。このため、壁部材６０の長孔６０ａ内で保持されたベース部４８ｅから屈曲した第３アーム部４８ｄも、下カバー２２ｂ上に着地し、図７（Ａ）に示す水平姿勢（０度姿勢）となっている。なお、図７（Ａ）及び図７（Ｂ）では、ベゼル２０ｂや駆動ワイヤ４８の動作を明示するため、スライド部材４６（スライドフレーム４６ｃ）はその外形のみを図示している。
【００６３】
この状態では、駆動ワイヤ４８のベース部４８ｅが回転可能に連結されたベゼル２０ｂもベース部４８ｅによって引き寄せられて下降位置にあり、図８に示すように、キー２０ａの頂面よりもベゼル２０ｂの上面が下にあり、キー２０ａを良好に操作することができる。なお、図１１に示すように、ベゼル２０ｂの下面と、下カバー２２ｂの上面との間には、常時ベゼル２０ｂを下方へと付勢するねじりコイルばね６２が介在している。ねじりコイルばね６２の付勢力により、０度位置から１８０度位置までの間で、ベゼル２０ｂは確実に所定の下降位置に保持され、がたつき等を生じることがない。ねじりコイルばね６２は、例えば、ベゼル２０ｂの縦枠２０ｄの下面側に複数設けられる。
【００６４】
続いて、１８０度位置を超えて表示部１４が回動されると、リンクピン２６は第２シャフト３０を軸心として開き方向へと回動するヒンジ筐体３６により、該第２シャフト３０を回動軸として旋回動作して上方に移動しつつ、その前後方向位置が後方に移動する。例えば、２７０度位置では、リンクピン２６はリンク部材４２の係合アーム４２ａの係合凹部３９内で上方へと移動しつつ、該リンク部材４２を後方へと引き寄せ移動させる（図７（Ａ）中の２点鎖線参照）。そうすると、図７（Ｂ）及び図１０（Ｂ）に示すように、後方に移動するスライドフレーム４６ｃにより、駆動ワイヤ４８の係合部４８ａが後方へと移動される。このため、駆動ワイヤ４８は、係合部４８ａがスライドフレーム４６ｃのスリット４９内で回転しつつ上昇し、ベース部４８ｅが壁部材６０の長孔６０ａ内で回転しつつ上昇するため、ベース部４８ｅが上方へと持ち上がり、押圧部４８ｆはＶ字の頂点で下カバー２２ｂ上を摺接しつつ立ち上がる。
【００６５】
表示部１４がさらに回動されると、リンクピン２６は第２シャフト３０を軸心として旋回動作して次第に下方へと移動しつつ、その前後方向位置がさらに後方に移動する。これにより、リンクピン２６は、リンク部材４２の係合アーム４２ａの係合凹部３９内で今度は下方へと移動しつつ、該リンク部材４２をさらに後方へと引き寄せ移動させる。
【００６６】
最終的に、３６０度位置では、リンクピン２６は図７（Ｂ）に示す位置Ｐ２となり（図５（Ｇ）も参照）、スライドフレーム４６ｃもさらに後方へと移動している。従って、図７（Ｂ）及び図１０（Ｂ）に示すように、下カバー２２ｂ上に着地している第２アーム部４８ｃの基端側から屈曲した第３アーム部４８ｄが、下カバー２２ｂ上から起立し、図７（Ｂ）に示す略鉛直姿勢（８０度姿勢）となる。なお、図１０（Ｂ）では、図面の見易さを確保するため、駆動ワイヤ４８を９０度回転させ、第３アーム部４８ｄを鉛直姿勢（９０度姿勢）とした状態を図示しているが、実際には、図７（Ｂ）と同様な８０度姿勢となっている。
【００６７】
この状態では、ベース部４８ｅは下カバー２２ｂから上昇した上昇位置にあり、このベース部４８ｅと連結されたベゼル２０ｂも、ねじりコイルばね６２の付勢力に抗してベース部４８ｅによって持ち上げられて上昇位置にある。このため、図９に示すように、ベゼル２０ｂの上面がキー２０ａの頂面と面一又は僅かに上にあり、キーボード２０の上面が略平面となる（図１２（Ｂ）も参照）。つまり、各キー２０ａがベゼル２０ｂによって実質的に隠された状態となるため、タブレット型ＰＣとして使用する際、キーボード２０が邪魔になることがない。
【００６８】
一方、３６０度位置にある表示部１４を閉じ方向に回動動作させる場合には、上記の開き方向への回動動作と逆方向の動作が生じるため、表示部１４が３６０度位置から１８０度位置へと回動されるのに伴い、リンクピン２６は前方へと移動する。これにより、駆動ワイヤ４８は、図７（Ａ）及び図１０（Ａ）に示すように、ベース部４８ｅ及び押圧部４８ｆが下カバー２２ｂ上に着地し、第３アーム部４８ｄが下カバー２２ｂ上に着地した水平姿勢（０度姿勢）に戻るのに伴い、ベゼル２０ｂもベース部４８ｅによって引き寄せられて下降位置となる。この際、ねじりコイルばね６２の付勢力により、ベゼル２０ｂを確実に下降位置に戻すことができる。
【００６９】
図１２（Ａ）及び図１２（Ｂ）に示すように、ベゼル２０ｂのキー２０ａに対応した孔部２１の下端部には、当該孔部２１の内方へと突出したキーストッパ６４が突設されている。
【００７０】
図１２（Ｂ）に示すように、３６０度位置となってベゼル２０ｂが上昇位置となった場合には、キーストッパ６４がキー２０ａの下端を保持する位置に上昇する。これにより、ベゼル２０ｂが上昇位置となった場合のキー２０ａの押下操作が阻止されるため、タブレット型ＰＣとしての使用形態時に、誤ってキー２０ａが操作されること、及びキー２０ａがガタつきを生じることを防止できる。つまり、ベゼル２０ｂ及びこれに設けられたキーストッパ６４は、リンク機構４０の動作と連動して動作し、可動部材であるキー２０ａの動作（押下操作）を規制するストッパ機構（ストッパ部材）として機能することになる。
【００７１】
図１２（Ａ）に示すように、下カバー２２ｂのキーストッパ６４に対応する位置には、該キーストッパ６４を挿入可能な切欠き（逃げ部）６６が形成されている。これにより、０度位置から１８０度位置の間でベゼル２０ｂが下降位置にある場合には、キーストッパ６４をキー２０ａから十分に離間した位置まで退避させておくことができ、キー２０ａのストロークを十分に確保することが可能となっている。
【００７２】
３．３  ストッパ機構の可動構造の説明
次に、クリックパッド１９の押下操作を規制するストッパ機構２４の可動構造について説明する。
【００７３】
３．３（１）  ストッパ機構の構成の説明
先ず、ストッパ機構２４の構成について説明する。図１３は、スライドフレーム４６ｃがスライドした際の伝達ワイヤ５２の状態を説明するための側面図であり、図１３（Ａ）は、０度位置から１８０度位置までの状態を示す図であり、図１３（Ｂ）は、３６０度位置での状態を示す図である。図１４は、ストッパ機構２４の動作を説明するための側面断面図であり、図１４（Ａ）は、０度位置から１８０度位置までの間でのストッパ機構２４の状態を示す図であり、図１４（Ｂ）は、３６０度位置でのストッパ機構２４の状態を示す図である。図１５は、ストッパ機構２４の動作を説明するための平面説明図であり、図１５（Ａ）は、０度位置から１８０度位置までの間でのストッパ機構２４の状態を示す図であり、図１５（Ｂ）は、３６０度位置でのストッパ機構２４の状態を示す図である。図１６は、ストッパ機構２４の動作を説明するための正面断面図であり、図１６（Ａ）は、０度位置から１８０度位置までの間でのストッパ機構２４の状態を示す図であり、図１６（Ｂ）は、３６０度位置でのストッパ機構２４の状態を示す図である。
【００７４】
図６に示すように、ストッパ機構２４は、本体部１６の本体筐体２２内部に収容配置されており、クリックパッド１９の左右両側部に沿って設けられた左右一対のスライドバー（第２スライド部材）５０，５０と、各スライドバー５０にそれぞれ連結された前後一対のストッパ部材７０，７０とを備える。スライドバー５０は、伝達ワイヤ５２を介してリンク機構４０のスライドフレーム４６ｃと連動する。
【００７５】
各スライドバー５０は、下カバー２２ｂの上面（内面）上で前後方向に移動可能に設けられている。各スライドバー５０は、後端側の外側面（スライドフレーム４６ｃ側の側面）に設けられたスリット５０ａと、スリット５０ａの前方に前後一対で設けられた連結孔５０ｂ，５０ｂと、一対の連結孔５０ｂ，５０ｂの内面側（クリックパッド１９側）に前後一対で設けられた長孔５０ｃ，５０ｃとを有する（図１５も参照）。スライドバー５０は、その前後方向の長孔５０ｃに下カバー２２ｂから立脚したガイドピン７２が挿入されることで前後方向にガイドされている。
【００７６】
各ストッパ部材７０は、軸孔７０ａに挿入されたガイドピン７２により、本体筐体２２（下カバー２２ｂ）に対して回動可能に軸支された平面視略Ｌ字状の板状部材であり、スライドバー５０の下面側に配設されている（図６及び図１４参照）。ストッパ部材７０は、舌片状の突出片７０ｂと、突出片７０ｂと略直交方向に突出した先細り部分の先端上面から上方へと突出した連結ピン７０ｃとを有する。軸孔７０ａは、Ｌ字の角部となる突出片７０ｂと前記先細り部分の交点付近に形成されている。突出片７０ｂは、図６のヒンジ機構１２Ｌ側及び図１５（Ａ）に示す０度位置から１８０度位置までの姿勢で見た場合に、後方へと突出した薄板部分である。連結ピン７０ｃは、スライドバー５０の連結孔５０ｂに対し、その下側から上方に向かって回転可能に挿入される。
【００７７】
従って、ストッパ機構２４では、スライドバー５０が前後方向に移動すると、その連結孔５０ｂに挿入された連結ピン７０ｃが前後方向に引き寄せられ、これによりストッパ部材７０がガイドピン７２を回動軸として回動動作する（図６及び図１４〜図１６参照）。この際、表示部１４が０度位置から１８０度位置までの間にある場合には、図６のヒンジ機構１２Ｌ側及び図１５（Ａ）に示すように、突出片７０ｂが前後方向に沿った姿勢（初期位置）となる。また、表示部１４が３６０度位置にある場合には、図６のヒンジ機構１２Ｒ側及び図１５（Ｂ）に示すように、突出片７０ｂが左右方向に傾いた姿勢（回動位置）となってスライドバー５０の側方に突出し、その先端側が平面視でクリックパッド１９と重なる位置となる。
【００７８】
３．３（２）  伝達ワイヤの構成の説明
次に、スライドフレーム４６ｃの駆動力をストッパ機構２４に伝達する伝達ワイヤ５２の構成及び動作について説明する。図１７は、伝達ワイヤ５２の動作を模式的に示した平面図であり、図１７（Ａ）は、０度位置から１８０度位置までの間での伝達ワイヤ５２の状態を示す図であり、図１７（Ｂ）は、３６０度位置での伝達ワイヤ５２の状態を示す図である。
【００７９】
図６に示すように、伝達ワイヤ５２は、ヒンジ機構１２Ｌによって駆動されるスライドフレーム４６ｃとクリックパッド１９の左側のスライドバー５０との間、及び、ヒンジ機構１２Ｒによって駆動されるスライドフレーム４６ｃとクリックパッド１９の右側のスライドバー５０との間にそれぞれ架け渡されている。伝達ワイヤ５２は、上記した駆動ワイヤ４８と同じくＳＵＳ材等で形成された硬質の線材であり、例えば、直径１ｍｍ程度で十分な剛性を有する。各伝達ワイヤ５２は、一端がスライドフレーム４６ｃのスリット４９に上下動可能に且つ回転可能に係合され、他端がスライドバー５０のスリット５０ａに上下動可能に且つ回転可能に係合され、下カバー２２ｂの上面上で回転可能に保持されている（図６及び図１７参照）。
【００８０】
伝達ワイヤ５２の両端には、図１７（Ａ）に示す０度位置から１８０度位置までの姿勢で見た場合に、左右方向に延びてスライドフレーム４６ｃ及びスライドバー５０のスリット４９，５０ａにそれぞれ係合される係合部５２ａ，５２ｂと、係合部５２ａ，５２ｂの各基端から屈曲して後方斜め下方へと延在したアーム部５２ｃ，５２ｄ（図１３（Ａ）及び図１４（Ａ）も参照）とが形成されている。各アーム部５２ｃ，５２ｄ間には、その基端から屈曲して左右方向に延在したベース部５２ｅが設けられている。ベース部５２ｅは、本体筐体２２の下カバー２２ｂの上面に設けられた左右一対の軸受部７４，７４により、下カバー２２ｂ上で回転可能に且つ前後方向に移動不能に支承されている。ベース部５２ｅには、前方に向けて略Ｕ字状に屈曲されたガイド部５２ｆが形成されている。ガイド部５２ｆは当該伝達ワイヤ５２の略中央に形成されている。図１７（Ａ）に示す０度位置から１８０度位置までの姿勢で、ガイド部５２ｆは、下カバー２２ｂの上面に設けられたガイドリブ７６の前端縁部の周囲をなぞりながら回り込む形状とされている。ガイドリブ７６は、下カバー２２ｂの上面から突出し、前後方向に延びた薄板部材である。伝達ワイヤ５２は、左右対称形状となっている。
【００８１】
３．３（３）  ストッパ機構の動作の説明
次に、このような伝達ワイヤ５２を用いたストッパ機構２４の動作について説明する。
【００８２】
先ず、０度位置から１８０度位置までの間は、図１３（Ａ）に示すように、リンクピン２６の前後方向位置は変化せずに位置Ｐ１に留まり、スライドフレーム４６ｃの位置も初期位置に留まっている。この際、伝達ワイヤ５２は、図１３（Ａ）、図１４（Ａ）及び図１７（Ａ）に示すように、下カバー２２ｂ上で軸受部７４によって支承されたベース部５２ｅに対し、両側のアーム部５２ｃ，５２ｄが前側に傾いた姿勢となっている。
【００８３】
この状態では、伝達ワイヤ５２によってスライドフレーム４６ｃと連結されたストッパ機構２４のスライドバー５０は前進位置（初期位置）にある。そのため、図６及び図１５（Ａ）に示すように、ストッパ部材７０の突出片７０ｂが前後方向に沿った姿勢（初期位置）であり、平面視でクリックパッド１９のセンサ板１９ａと重ならない位置にある。従って、図１６（Ａ）に示すようにクリックパッド１９のセンサ板１９ａを良好に押下操作することができる。
【００８４】
続いて、１８０度位置を超えて表示部１４が回動されると、リンクピン２６は第２シャフト３０を軸心として旋回動作し、その前後方向位置が後方に移動する。例えば、２７０度位置では、リンクピン２６はリンク部材４２の係合アーム４２ａの係合凹部３９内で上方へと移動しつつ、該リンク部材４２を後方へと引き寄せ移動させる（図１３（Ａ）中の２点鎖線参照）。そうすると、図１３（Ｂ）及び図１７（Ｂ）に示すように、後方に移動するスライドフレーム４６ｃにより、伝達ワイヤ５２の一端の係合部５２ａが後方へと移動される。このため、伝達ワイヤ５２は、係合部５２ａがスライドフレーム４６ｃのスリット４９内で回転しつつ、軸受部７４に支承されたベース部５２ｅが下カバー２２ｂ上で回転する。これにより、図１４（Ｂ）及び図１７（Ｂ）に示すように、他端の係合部５２ｂも後方へと移動し、スライドバー５０を後方に移動させる。このベース部５２ｅの回転時、ガイド部５２ｆがガイドリブ７６に摺接しつつその上端面に乗り上げるため、伝達ワイヤ５２の上下左右方向へのがたつきが防止され、回転が安定する。
【００８５】
ここで、ストッパ機構２４では、伝達ワイヤ５２の回転に伴ってスライドバー５０が後方に移動すると、ストッパ部材７０の連結ピン７０ｃが連結孔５０ｂによって後方に引き寄せられる。このため、ストッパ部材７０が下カバー２２ｂのガイドピン７２を回動軸として従動的に回動動作し、突出片７０ｂの先端側が次第にクリックパッド１９のセンサ板１９ａの下方に潜り込むように移動する（図６及び図１５（Ｂ）参照）。
【００８６】
最終的に、３６０度位置では、リンクピン２６は図１３（Ｂ）に示す位置Ｐ２となり（図５（Ｇ）も参照）、スライドフレーム４６ｃもさらに後方へと移動している。従って、図１３（Ｂ）、図１４（Ｂ）及び図１７（Ｂ）に示すように、下カバー２２ｂ上で軸受部７４によって支承されたベース部５２ｅに対し、両側のアーム部５２ｃ，５２ｄが後側に傾いた姿勢となっている。
【００８７】
この状態では、伝達ワイヤ５２によってスライドフレーム４６ｃと連結されたストッパ機構２４のスライドバー５０も後進位置にある。そのため、図６、図１５（Ｂ）及び図１６（Ｂ）に示すように、ストッパ部材７０の突出片７０ｂが左右方向に傾いた姿勢（回動位置）となってスライドバー５０の側方に突出し、突出部７０ｂの先端側が平面視でクリックパッド１９のセンサ板１９ａの下面とベース板１９ｃの間に潜り込んだ位置となる。従って、図１６（Ｂ）に示すように、突出片７０ｂによってクリックパッド１９のセンサ板１９ａの押下操作が規制され、センサ板１９ａが上下動不能な状態になる。これにより、クリックパッド１９の押下操作が規制されるため、クリックパッド１９が実質的に平坦面となり、タブレット型ＰＣとして使用する際、その裏面で可動することがない。
【００８８】
一方、３６０度位置にある表示部１４を閉じ方向に回動動作させる場合には、上記の開き方向への回動動作と逆方向の動作が生じるため、表示部１４が３６０度位置から１８０度位置へと回動されるのに伴い、リンクピン２６は前方へと移動する。これにより、伝達ワイヤ５２は、図１３（Ａ）、図１４（Ａ）及び図１７（Ａ）に示すように、ベース部５２ｅを基準として、両側のアーム部５２ｃ，５２ｄが前側に傾いた姿勢に戻るのに伴い、スライドバー５０も前進位置に戻る。このため、ストッパ機構２４のストッパ部材７０も突出片７０ｂが前後方向に沿った初期位置に戻り、クリックパッド１９の押下操作が可能になる。
【００８９】
４．緩衝部の説明
次に、緩衝部４４の作用について説明する。
【００９０】
上記のように、電子機器１０では、ヒンジ機構１２の回動動作と連動するリンク機構４０を設けたことにより、表示部１４を１８０度位置から３６０度位置まで回動させた際、可動部材であるベゼル２０ｂ及びストッパ機構２４のストッパ部材７０を動作させることができる。
【００９１】
ところが、例えば、使用者が本体部１６を手で把持し、ベゼル２０ｂ又はクリックパッド１９を手で押さえた状態のまま、タブレット型ＰＣとしての使用形態に変形すべく表示部１４を３６０度位置まで回動させようとしたとする。この場合には、リンク部材４２はリンクピン２６によって後方に移動させられる力を受ける。ところが、ベゼル２０ｂが押さえられているとその上動が阻止され、クリックパッド１９が押下されているとストッパ部材７０の回動が阻止されるため、スライド部材４６は移動することができない。このため、表示部１４、ヒンジ機構１２、及びリンク機構４０に大きな負担がかかり、各部に破損等を生じる懸念がある。
【００９２】
そこで、本実施形態に係る電子機器１０では、リンク機構４０に緩衝部４４を設け、表示部１４の回動動作とベゼル２０ｂ及びストッパ機構２４の動作とのリンク機構４０による連動状態を解除可能に構成している。すなわち、緩衝部４４は、ヒンジ機構１２と連動するリンク部材４２と、ベゼル２０ｂやストッパ機構２４と連動するスライド部材４６との間に介在している。
【００９３】
緩衝部４４は、上記のようにベゼル２０ｂやクリックパッド１９が押さえられていない通常時には、コイルばね４４ａによってリンク部材４２とスライド部材４６とを一体的に動作させる（図６のヒンジ機構１２Ｒ側のリンク機構４０参照）。一方、人手等によりベゼル２０ｂ又はクリックパッド１９が押さえられた状態で表示部１４が回動させられた場合には、ヒンジ機構１２のリンクピン２６によって後方に移動しようとするリンク部材４２と、人手による押圧力によってその場に留まろうとするスライド部材４６との間で、コイルばね４４ａが伸張する。そうすると、リンク部材４２のレール４２ｂとスライド部材４６のスライダ４６ａとが摺動し、レール４２ｂのみが後方に移動する。これにより、表示部１４、ヒンジ機構１２、及びリンク部材４２は問題なく所定の動作を行うことができるため、表示部１４、ヒンジ機構１２、及びリンク機構４０の各部に大きな負担がかかり、各部に破損等を生じることを回避できる。
【００９４】
このように、緩衝部４４は、リンク部材４２とスライド部材４６との間を接離するクラッチとして機能し、ベゼル２０ｂ又はクリックパッド１９が押さえられた状態での各部の負担の発生を緩衝する機能を果たす。なお、緩衝部４４のコイルばね４４ａが伸張したまま表示部１４が３６０度位置等まで回動された後は、その状態からベゼル２０ｂ又はクリックパッド１９への押圧力を解除すれば、コイルばね４４ａの弾性力によりスライド部材４６がリンク部材４２を追いかけるように所定位置へと移動し、ベゼル２０ｂが上動し、或いはストッパ部材７０が回動する。
【００９５】
５．電子機器の作用効果の説明
以上のように、本実施形態に係る電子機器１０では、押圧操作によって動作する可動部材であるクリックパッド１９を操作面上に設けた本体部１６と、ディスプレイ１８を設けた表示部１４とをヒンジ機構１２によって回動可能に連結している。そして、表示部１４の本体部１６に対する１８０度位置から３６０度位置までの回動動作と連動して動作するリンク機構４０と、リンク機構４０の動作と連動して動作し、可動部材であるクリックパッド１９の動作を規制するストッパ機構２４とを備える。
【００９６】
従って、表示部１４を３６０度位置まで回動させて電子機器１０をタブレット型ＰＣとして使用する場合に、その裏面にあるクリックパッド１９が上下動してがたつき、人手による当該電子機器１０の把持やディスプレイ１８へのタッチパネル操作の安定性が損なわれることを防止でき、高い操作安定性を確保することができる。また、裏面のクリックパッド１９の押圧操作を規制できるため、裏面のクリックパッド１９が意図せずに操作され、誤作動を生じることを回避できる。一方、表示部１４を例えば９０度位置としたノート型ＰＣとして使用する場合には、ストッパ機構２４によるクリックパッド１９の動作の規制が解除されているため、クリックパッド１９を用いた良好な操作が可能となる。
【００９７】
なお、ストッパ機構２４によってその動作が規制される可動部材は、クリックパッド１９以外にも、例えば、図１８（Ａ）及び図１８（Ｂ）に示すような所定の機能が割り当てられた機能ボタン８０であってもよい。機能ボタン８０は、上下動可能なボタンであり、押下操作されることにより所定の機能を発揮するものである。機能ボタン８０としては、当該電子機器１０の電源をオン・オフする電源ボタン、スピーカー音量を変更するボリュームボタン、音量を消音するスピーカーミュートボタン、マイクをオフするマイクミュートボタン等、各種機能を有するものを例示できる。機能ボタン８０は、本体部１６の上面１６ａ上で上下方向に押下操作されるもの以外であってもよく、例えば、上面１６ａ上で水平方向にスライド操作されるものであってもよい。また、本実施形態に係る電子機器１０では、上記したように、ベゼル２０ｂ及びこれに設けられたキーストッパ６４（図１２参照）も、表示部１４が１８０度位置を超えた際に可動部材であるキー２０ａの動作を規制するストッパ機構（ストッパ部材）として機能する。
【００９８】
本実施形態では、スライドフレーム４６ｃとスライドバー５０との間を、スライドフレーム４６ｃの前後方向への移動力を受けて回転することで、スライドバー５０を前後方向へと移動させる伝達ワイヤ５２で連結している。このため、スライドフレーム４６ｃとスライドバー５０との間での前後方向の動力の伝達を実質的に前後方向に移動せず、その場で回転するだけの伝達ワイヤ５２で賄うことができる。これにより、伝達ワイヤ５２の設置スペースを可及的に抑えることができ、例えば、クリックパッド１９の側方にバッテリ（図示せず）等が配置されている場合にも邪魔になることがない。勿論、スライドフレーム４６ｃとスライドバー５０との間は、これらと一体的に移動するフレーム部材等で連結してもよい。
【００９９】
なお、本発明は、上記した実施形態に限定されるものではなく、本発明の主旨を逸脱しない範囲で自由に変更できることは勿論である。
【０１００】
上記実施形態では、ストッパ機構２４として、スライドバー５０と、このスライドバー５０の前後方向への移動によって従動的に回動するストッパ部材７０とを備えた構成を例示したが、ストッパ部材を省略し或いはストッパ部材をスライドバー５０と一体的に構成し、スライドバー５０がストッパ部材としての機能も兼ね、直接的にクリックパッド１９や機能ボタン８０の下側等に係合する構成等としてもよい。さらには、スライドバー５０や伝達ワイヤ５２を用いず、スライドフレーム４６ｃ又はこれによって従動的に回転するストッパ部材（図示せず）をストップ機構として使用してもよい。
【符号の説明】
【０１０１】
１０  電子機器
１２，１２Ｌ，１２Ｒ  ヒンジ機構
１４  表示部
１６  本体部
１６ａ  上面
１６ｂ  下面
１８  ディスプレイ
１９  クリックパッド
１９ａ  センサ板
２０  キーボード
２０ａ  キー
２０ｂ  ベゼル
２２  本体筐体
２２ａ  上カバー
２２ｂ  下カバー
２４  ストッパ機構
２６  リンクピン
２８  第１シャフト
３０  第２シャフト
３９  係合凹部
４０  リンク機構
４２  リンク部材
４４  緩衝部
４６  スライド部材
４６ｃ  スライドフレーム
４８  駆動ワイヤ
４９，５０ａ  スリット
５０  スライドバー
５１，５６，７２  ガイドピン
５２  伝達ワイヤ
６４  キーストッパ
７０  ストッパ部材
７０ｂ  突出片
７０ｃ  連結ピン
７４  軸受部
８０  機能ボタン
【図１】
0005955876.tif 000002
【図２】
0005955876.tif 000003
【図３】
0005955876.tif 000004
【図４】
0005955876.tif 000005
【図５】
0005955876.tif 000006
【図６】
0005955876.tif 000007
【図７】
0005955876.tif 000008
【図８】
0005955876.tif 000009
【図９】
0005955876.tif 000010
【図１０】
0005955876.tif 000011
【図１１】
0005955876.tif 000012
【図１２】
0005955876.tif 000013
【図１３】
0005955876.tif 000014
【図１４】
0005955876.tif 000015
【図１５】
0005955876.tif 000016
【図１６】
0005955876.tif 000017
【図１７】
0005955876.tif 000018
【図１８】
0005955876.tif 000019